(57)【特許請求の範囲】
【請求項１】
底壁上に周方向４面の側壁から成る周壁を備えた紙パックをカッターにより裁頭切断することにより紙パックの廃品から紙容器を形成するに際し、該カッターを案内する裁断ガイド装置であり、
裁断ガイド装置１０は、紙パックにおける少なくとも一つの側壁３の外側面に対して上下長手方向に沿い且つ該側壁３の全幅にわたり重ね合わせられる平板部１１と、該平板部１１の下端縁から紙パックの底壁２の少なくとも底部コーナー３ｅ近傍部分の外側面に沿って突出する底部位置決め部１２とを備えており、
紙パックの側壁３を横断して水平方向に延びる複数のスリット１６を、それぞれ前記底部位置決め部１２からの離間距離を相違せしめた状態で平板部１１に設けて成ることを特徴とする紙パック廃品利用容器の裁断ガイド装置。
【請求項２】
底壁上に周方向４面の側壁から成る周壁を備えた紙パックをカッターにより裁頭切断することにより紙パックの廃品から紙容器を形成するに際し、該カッターを案内する裁断ガイド装置であり、
裁断ガイド装置１０は、紙パックにおける一つの側壁３の外側面に対して上下長手方向に沿い且つ該側壁３の全幅にわたり重ね合わせられる平板部１１と、該平板部１１の下端縁から紙パックの底壁２の少なくとも底部コーナー３ｅ近傍部分の外側面に沿って突出する位置決め部１２と、該平板部１１の側縁から前記側壁に隣接する側壁の少なくとも側部コーナー３ｆ近傍部分の外側面に沿って突出する側部位置決め部１３とを備えており、
紙パックの側壁３を横断して水平方向に延びる複数のスリット１６を、それぞれ前記底部位置決め部１２からの離間距離を相違せしめた状態で平板部１１に設けると共に、各スリット１６を平板部１１から側部位置決め部１３に至り切込み状に延長せしめることによりコーナースリット部１７を設けて成ることを特徴とする紙パック廃品利用容器の裁断ガイド装置。
【発明の詳細な説明】
【０００１】
【発明の属する技術分野】
本発明は、例えば牛乳やジュース等の飲料容器として使用されている紙パックを飲料消費後にカッターにより裁頭切断し、紙パックの廃品から種々の小物入れとして利用できる紙容器を形成するに際し、カッターを好適に案内せしめることにより美麗な切り口の形成を可能にすると共に、所望の背丈の紙容器を簡単に形成できるようにした裁断ガイド装置に関する。
【０００２】
【従来の技術】
近年、牛乳やジュース等の飲料容器には紙パックが多用されており、家庭における消費量も膨大な量に及んでいる。
【０００３】
そこで、飲料消費後に廃棄される紙パックの数も相当数に及ぶため、これを廃品利用することにより、資源の有効利用と、廃棄ゴミの低減化を図ることが望ましい。
【０００４】
【発明が解決しようとする課題】
紙パックは、底壁上に周方向４面の側壁から成る周壁を備えたほぼ四角柱状に構成され、比較的強靱な紙素材により形成されているから、これを有効利用するためには、紙パックを裁頭切断することにより上部開口状の紙容器を形成し、これを種々の小物入れとして利用するのが好ましい。
【０００５】
ところが、紙パックをカッター等により裁頭切断するに際し、４面の側壁を水平方向に整列状態で切断することは必ずしも容易でなく、切断端が歪んでしまうと、形成された紙容器の見栄えが良くないという問題がある。
【０００６】
また、このような紙容器は、例えば、塵入れ等のダストボックスや小物入れ等の他、鉛筆等の筆記具や、家庭電気製品のリモコン装置や、マヨネーズ等のチューブ類等の小物品を立てた状態で収納するスタンド等のように、その目的とする用途に応じて所望の背丈に形成しなければならない。この点に関して、紙パックをカッター等により切断することにより所望の高さの紙容器を形成するに際し、その都度、物差し等で切断位置を測定すると共に、切断予定線を鉛筆等で紙パックに描くことは、極めて煩雑であるという問題がある。
【０００７】
【課題を解決するための手段】
本発明は、上記課題を解決した紙パック廃品利用容器の裁断ガイド装置を提供するものである。
【０００８】
そこで、本発明が第一の手段として構成したところは、底壁上に周方向４面の側壁から成る周壁を備えた紙パックをカッターにより裁頭切断することにより紙パックの廃品から紙容器を形成するに際し、該カッターを案内する裁断ガイド装置であり、裁断ガイド装置は、紙パックにおける少なくとも一つの側壁の外側面に対して上下長手方向に沿い且つ該側壁の全幅にわたり重ね合わせられる平板部と、該平板部の下端縁から紙パックの底壁の少なくとも底部コーナー近傍部分の外側面に沿って突出する底部位置決め部とを備えており、紙パックの側壁を横断して水平方向に延びる複数のスリットを、それぞれ前記底部位置決め部からの離間距離を相違せしめた状態で平板部に設けて成る点にある。
【０００９】
また、本発明が第二の手段として構成したところは、底壁上に周方向４面の側壁から成る周壁を備えた紙パックをカッターにより裁頭切断することにより紙パックの廃品から紙容器を形成するに際し、該カッターを案内する裁断ガイド装置であり、裁断ガイド装置は、紙パックにおける一つの側壁の外側面に対して上下長手方向に沿い且つ該側壁の全幅にわたり重ね合わせられる平板部と、該平板部の下端縁から紙パックの底壁の少なくとも底部コーナー近傍部分の外側面に沿って突出する位置決め部と、該平板部の側縁から前記側壁に隣接する側壁の少なくとも側部コーナー近傍部分の外側面に沿って突出する側部位置決め部とを備えており、紙パックの側壁を横断して水平方向に延びる複数のスリットを、それぞれ前記底部位置決め部からの離間距離を相違せしめた状態で平板部に設けると共に、各スリットを平板部から側部位置決め部に至り切込み状に延長せしめることによりコーナースリット部を設けて成る点にある。
【００１０】
【発明の実施の形態】
以下図面に基づいて本発明の好ましい実施形態を詳述する。
【００１１】
（紙パック利用の紙容器）
牛乳やジュース等の飲料容器として使用されている紙パック１は、図１（Ａ）に示すように、底壁２に周方向４面の側壁３ａ、３ｂ、３ｃ、３ｄから成る周壁４を立設した正方形の角柱状に構成されており、飲料容器として消費者に提供されるまでは上部に開放可能な密閉シール部５を設けている。周知のように、密閉シール部５は、引き離し動作により開放可能であり、消費者が内部の飲料を消費した後、紙パック１は廃品とされる。
【００１２】
そこで、廃品となった紙パック１は、カッター９による裁頭切断、即ち、密閉シール部５を含む頭部を裁断することにより、図１（Ｂ）（Ｃ）に示すように、上部の切断端に開口縁８を形成した紙容器６として利用され、図例のように、各種の小物品７を収納することができる。図例において、図１（Ｂ）は、例えば、ゴミ入れその他の小物入れとして利用するため背を高く形成した紙容器６を示しており、図１（Ｃ）は、例えば、鉛筆等の小物品のスタンドとして利用するため背を低く形成した紙容器６を示している。
【００１３】
（裁断ガイド装置）
図２及び図３は、裁断ガイド装置の１実施形態を示しており、図４は、裁断ガイド装置を用いて紙パック１を切断する方法を示している。
【００１４】
図２及び図３に示すように、裁断ガイド装置１０は、紙パック１における４面の側壁３のうち少なくとも一つの側壁（図例の場合、側壁３ａ）の外側面に対して上下方向に沿い且つ該側壁３ａの全幅にわたり重ね合わせられる平板部１１と、該平板部１１の下端縁から紙パック１の底壁２の少なくとも底部コーナー近傍部分（図において底部コーナーを符号３ｅで示す）の外側面に沿って突出する底部位置決め部１２と、該平板部１１の両側縁から、該側壁３ａに隣接する左右の側壁３ｂ、３ｄの少なくとも側部コーナー近傍部分（図において側部コーナーを符号３ｆで示す）の外側面に沿って突出する側部位置決め部１３、１３とを備えており、合成樹脂により一体に成形されている。
【００１５】
図示実施形態の場合、平板部１１の上下長手方向の長さ寸法Ｈは、紙パック１の側壁３の高さｈに対して、Ｈ≦ｈとなるように形成され、一対の側部位置決め部１３、１３の間隔寸法Ｗは、紙パック１の側壁３の幅ｗに対して、Ｗ≧ｗとなるように形成され、好ましくはＷ＝ｗに形成されている。尚、裁断ガイド装置１０の上端縁１４は、平板部１１の上端縁と側部位置決め部１３、１３の上端縁とにより、ほぼコ字形に形成されており、この上端縁１４と、側部位置決め部１３、１３の側縁と、底部位置決め部の突出縁との全縁にわたり延びるフランジ状の縁取りリブ１５が設けられている。
【００１６】
平板部１１には、水平方向（平板部１１の上下長手方向に直交する方向）に延びる複数のスリット１６が貫通して形成されており、複数のスリット１６のそれぞれは、底部位置決め部１２からの離間距離を相違せしめた状態で設けられている。更に、各スリット１６は、平板部１１から側部位置決め部１３、１３に至り切込み状に延長されたコーナースリット部１７を備えている。
【００１７】
図３に示すように、裁断ガイド装置１０の好ましい実施形態において、平板部１１の正面には各スリット１６を利用して紙容器６を形成する場合の情報１８が表示されている。図例の場合、７本のスリットのうち最下部に位置するスリット１６ａが底部位置決め部１２からの離間距離を２．５ｃｍとして設けられ、該スリット１６ａから上方に残りの６本のスリット１６ｂ〜１６ｇが２．５ｃｍの等間隔をあけて設けられている。尚、上端縁１４は、スリットと平行なガイド縁１６ｈを構成する。そこで、情報１８は、各スリット１６ｂ〜１６ｇ及びガイド縁１６ｈの下側に位置して平板部１１に表示されており、当該スリット１６ａ〜１６ｇ及びガイド縁１６ｈの底部位置決め部１２からの離間距離を表示する数値による距離情報（図示左側の数値）と、各距離情報が該当するスリット１６ａ〜１６ｇ及びガイド縁１６ｈを指示する矢印情報（図示中央の矢印）と、各距離情報に応じて形成される紙容器６の好適用途例を記述した用途情報（図示右側の文字による記述）とを含んでいる。
【００１８】
上記構成の裁断ガイド装置１０を用いて紙パック１を切断するに際しては、先ず、図４（Ａ）に示すように、紙パック１の４面の側壁３のうち任意の側壁（図例では側壁３ａ）に対して、底部位置決め部１２を底壁２の底部コーナー３ｅに近傍する部分の外側面に当接せしめると共に、平板部１１を側壁３ａの外側面に重ね合わせ、上述した情報１８を参考にして目的とする紙容器６に相応しいスリット１６ｂ〜１６ｇ及びガイド縁１６ｈの一つ（図例ではスリット１６ｄ）を選択し、該スリット１６ｄを介してカッター９の刃先を側壁３ａに刺突すると共に、該スリット１６ｄに沿ってカッター９を移動することにより側壁３ａを横断状に切断する。図示実施形態の場合、側部位置決め部１３、１３が側壁３ａに隣接する側壁３ｂ、３ｄの少なくとも側部コーナー３ｆ、３ｆに近傍する部分の外側面に当接され、従って、紙パック１は、側部位置決め部１３、１３の間に保持されているので、切断中に裁断ガイド装置１０と紙パック１がカッター９の移動方向に対して相互に位置ずれを生じる虞れはなく、しかも、カッター９の刃先をコーナースリット部１７、１７に進入せしめることができるので、側壁３ａの両側に位置する側部コーナー３ｆ、３ｆも好適に切断できる。
【００１９】
側壁３ａの切断を終えると、一旦は裁断ガイド装置１０を側壁３ａから離反せしめた後、次いで、紙パック１の４面の側壁３のうち切断済みの側壁３ａを除く未切断の側壁（図例では側壁３ｂ）に対して、前述と同様に、底部位置決め部１２を底壁２の外側面に当接せしめ、平板部１１を側壁３ｂの外側面に重ね合わせると共に、側部位置決め部１３、１３の間に保持せしめた状態で、先に選択したスリット６ｄを利用することにより、該側壁３ｂをカッター９により切断する。この際、カッター９の刃先は、コーナースリット部１７を介して、先に切断した側壁３ａの切り口に及ぶので、連続した切断縁８ａが形成される。
【００２０】
側壁３ｂの切断を終えた後は、前述と同様の方法により、残りの側壁３ｃ、３ｄを切断すれば良く、これにより図１（Ｂ）（Ｃ）に示すような水平に整列された開口縁８を備えた紙容器６が得られる。
【００２１】
（設計変更例）
本発明が図示の実施形態に限定されないことは勿論であり、上述の構成に種々の設計変更を加えることが可能である。例えば、上記実施形態においては、一対の側部位置決め部１３、１３を設けた裁断ガイド装置１０について説明したが、左右何れか一方の側部位置決め部１３を省略しても良く、更には、必ずしも側部位置決め部１３を設けなくても良い。また、側部位置決め部１３に代えて、一対の平板部１１を断面Ｌ形に連結せしめ、紙パック１の隣り合う側壁３ａ、３ｂ又は３ｃ、３ｄを同時に切断可能となるように構成しても良い。
【００２２】
【発明の効果】
本発明によれば、紙パック１を裁頭切断することにより、種々の小物入れとして利用できる上部開口状の紙容器６を形成するに際し、底部位置決め部１２から所定の離間距離だけ離れて形成されたスリット１６をガイドとして切断できるので、切断縁８ａを水平に整列せしめ、仕上げの良い美麗な開口縁８を備えた紙容器６を提供できる。
【００２３】
しかも、複数のスリット１６が底部位置決め部１２からの離間距離を相違せしめた位置に設けられているので、スリット１６を選択して利用することにより、紙容器６を所望の高さに形成することができ便利である。
【００２４】
更に、側部位置決め部１３を設けると共に、コーナースリット部１７を設けた裁断ガイド装置１０においては、紙パック１に対して裁断ガイド装置１０がカッター９の移動方向に関して位置決め保持されるので、切断中に裁断ガイド装置１０と紙パック１が相互に位置ずれする虞れはなく、しかも、カッター９の刃先をコーナースリット部１７に進入せしめることにより、紙パック１の側壁３の切断時に側部コーナー３ｆを同時に好適に切断できるという効果がある。
【図面の簡単な説明】
【図１】（Ａ）は従来公知の紙パックを示す斜視図であり、（Ｂ）は紙パックの廃品を裁頭切断することにより形成した紙容器の１例を示す斜視図であり、（Ｃ）は紙容器の他の例を示す斜視図である。
【図２】本発明の１実施形態に係る裁断ガイド装置と紙パックを並列して示す斜視図である。
【図３】裁断ガイド装置の１実施形態を示す正面図である。
【図４】裁断ガイド装置の使用方法を示しており、（Ａ）は紙パックの一つの側壁を切断する方法を示す斜視図、（Ｂ）は一つの側壁を切断した後に別の側壁を切断する方法を示す斜視図である。
【符号の説明】
１    紙パック
３ａ〜３ｄ  側壁
３ｅ  底部コーナー
３ｆ  側部コーナー
４    周壁
６    紙容器
８    開口縁
８ａ  切断縁
９    カッター
１０    裁断ガイド装置
１１    平板部
１２    底部位置決め部
１３    側部位置決め部
１６ａ〜１６ｇ  スリット
１６ｈ  ガイド縁
１７    コーナースリット部
１８    情報
【図１】
0003592280.tif 000002
【図２】
0003592280.tif 000003
【図３】
0003592280.tif 000004
【図４】
0003592280.tif 000005